(57)【特許請求の範囲】
【請求項１】
複数のフレームを備える信号を受信するステップであって、前記複数のフレームの各々が複数のサブフレームを含む、ステップと、
複数のＭ×Ｎ自動利得制御（ＡＧＣ）ループを構成するステップであって、前記複数のＡＧＣループのうちの各ＡＧＣループが複数のモジュロＭ×Ｎタスク演算のために構成され、各タスクがサブフレームごとに前記複数のタスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、ステップと、
前記各ＡＧＣループを動作させるステップと、
前記受信された信号内で既知の同期信号のパターンを検出するために前記受信された信号を前記既知の同期信号と相関させるステップと、
前記受信された信号内の前記既知の同期信号の前記パターンの検出に応答して、前記受信された信号のサブフレームタイミングを決定するステップと
を備えるワイヤレス通信方法。
【請求項２】
前記サブフレームタイミングの決定に応答してトラッキングモードＡＧＣ動作に切り替えること
をさらに備える、請求項１に記載のワイヤレス通信方法。
【請求項３】
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンはダウンリンク（ＤＬ）サブフレームであることが保証された前記サブフレームの直後の前記サブフレームの開始の前記所定のタスク持続時間内で発生する、請求項１に記載のワイヤレス通信方法。
【請求項４】
前記構成するステップは、前記複数のＡＧＣループのうちの少なくとも２つのＡＧＣループがアキュムレータを除くすべてのコンポーネントを共有するように行われる、請求項１に記載のワイヤレス通信方法。
【請求項５】
前記既知の同期信号の前記パターンが１次同期信号（ＰＳＳ）パターンであり、Ｎが５に等しい、請求項３に記載のワイヤレス通信方法。
【請求項６】
前記既知の同期信号の前記パターンが１次同期信号（ＰＳＳ）パターンであり、Ｎが５に等しく、Ｍが３に等しい、請求項３に記載のワイヤレス通信方法。
【請求項７】
前記既知の同期信号の前記パターンが１次同期信号（ＰＳＳ）パターンであり、Ｎが５に等しく、Ｍが３に等しく、前記タスク遅延が１タスクの持続時間に等しい、請求項３に記載のワイヤレス通信方法。
【請求項８】
前記受信された信号内の前記既知の同期信号の前記パターンの前記検出に応答して前記複数のＡＧＣループのリソースを割振り解除することをさらに備える、請求項３に記載のワイヤレス通信方法。
【請求項９】
前記受信された信号内の前記既知の同期信号の前記パターンの前記検出に応答してＡＧＣトラッキングモードに切り替えることをさらに備える、請求項３に記載のワイヤレス通信方法。
【請求項１０】
前記既知の同期信号の前記パターンが１次同期信号（ＰＳＳ）パターンであり、Ｎが５に等しく、Ｍが３に等しく、前記タスク遅延が２タスクの持続時間に等しい、請求項３に記載のワイヤレス通信方法。
【請求項１１】
前記相関させるステップが、各ＰＳＳ期間を既知のＰＳＳ信号パターンとコヒーレントに相関させることを備える、請求項１０に記載のワイヤレス通信方法。
【請求項１２】
連続するＰＳＳ期間が１チップだけオフセットされる、請求項１１に記載のワイヤレス通信方法。
【請求項１３】
前記受信された信号内の前記同期信号は、第１の予め定義された限界を超えるエネルギー結果を生じさせる前記相関させるステップに応答して、または第２の予め定義された限界を超えてピークに達した前記エネルギー結果によって検出される、請求項１１に記載のワイヤレス通信方法。
【請求項１４】
コンピュータによって実行可能なコンピュータプログラムであって、  
ユーザ機器（ＵＥ）で複数のフレームを備える受信信号を受信するためのコードであって、前記フレームの各々がサブフレームを含む、コードと、
複数のＭ×Ｎ自動利得制御（ＡＧＣ）ループを前記ＵＥで構成するためのコードであって、前記複数のＡＧＣループのうちの各ＡＧＣループが複数のモジュロＭ×Ｎタスク演算のために構成され、各タスクがサブフレームごとに前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、コードと、
前記各ＡＧＣループを動作させるためのコードと、
前記受信された信号内で既知の同期信号のパターンを検出するために、前記受信された信号を前記既知の同期信号と相関させるためのコードと、
前記受信された信号内の前記既知の同期信号の前記パターンの検出に応答して、前記受信された信号のサブフレームタイミングを決定するためのコードと、
前記サブフレームタイミングの決定に応答して前記ＵＥをトラッキングモードＡＧＣ動作に切り替えるためのコードと
を備えるコンピュータプログラム。
【請求項１５】
前記複数のフレームの各々において、前記既知の同期信号の前記パターンはダウンリンク（ＤＬ）サブフレームであることが保証されたサブフレームの直後のサブフレーム内で発生する、請求項１４に記載のコンピュータプログラム。
【請求項１６】
前記既知の同期信号の前記パターンはダウンリンク（ＤＬ）サブフレームであることが保証された前記サブフレームの直後の前記サブフレームの開始の前記所定のタスク持続時間内で発生する、請求項１５に記載のコンピュータプログラム。
【請求項１７】
前記既知の同期信号の前記パターンが１次同期信号（ＰＳＳ）パターンであり、Ｎが５に等しく、Ｍが３に等しい、請求項１６に記載のコンピュータプログラム。
【請求項１８】
前記受信された信号内の前記既知の同期信号の前記パターンの前記検出に応答して前記ＡＧＣループのリソースを割振り解除するためのコードをさらに備える、請求項１６に記載のコンピュータプログラム。
【請求項１９】
少なくとも１つのプロセッサを備え、ここにおいて前記少なくとも１つのプロセッサは、
前記ユーザ機器で複数のフレームを備える受信信号を受信することと、前記フレームの各々がサブフレームを含む、
複数のＭ×Ｎ自動利得制御（ＡＧＣ）ループを構成することと、前記複数のＡＧＣループのうちの各ＡＧＣループが複数のモジュロＭ×Ｎタスク演算のために構成され、各タスクが、サブフレーム当たりの前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが、前記各ＡＧＣループのアキュムレータの入力の前に所定のタスク遅延を含み、前記所定のタスク遅延が整数個のタスクに等しい、
前記各ＡＧＣループを動作させることと、
前記受信された信号内で既知の同期信号のパターンを検出するために、前記受信された信号を前記既知の同期信号と相関させることと、
前記受信された信号内の前記既知の同期信号の前記パターンの検出に応答して、前記受信された信号のサブフレームタイミングを決定することと
を行うように構成され、
かつ前記少なくとも１つのプロセッサに動作可能に接続されたメモリを備えるワイヤレスユーザ機器（ＵＥ）。
【請求項２０】
前記プロセッサが、前記サブフレームタイミングの決定に応答してトラッキングモードＡＧＣ動作に切り替えるようにさらに構成される、請求項１９に記載のワイヤレスユーザ機器。
【請求項２１】
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンは、ダウンリンク（ＤＬ）サブフレームであることが保証された前記サブフレームの直後の前記サブフレームの開始の前記所定のタスク持続時間内で発生する、請求項１９に記載のワイヤレスユーザ機器。
【請求項２２】
前記複数のＡＧＣループのうちの少なくとも２つのＡＧＣループがアキュムレータを除くすべてのコンポーネントを共有するように構成される、請求項１９に記載のワイヤレスユーザ機器。
【請求項２３】
前記既知の同期信号の前記パターンが１次同期信号（ＰＳＳ）パターンであり、Ｎが５に等しい、請求項２１に記載のワイヤレスユーザ機器。
【請求項２４】
前記既知の同期信号の前記パターンが１次同期信号（ＰＳＳ）パターンであり、Ｎが５に等しく、Ｍが３に等しい、請求項２１に記載のワイヤレスユーザ機器。
【請求項２５】
前記既知の同期信号の前記パターンが１次同期信号（ＰＳＳ）パターンであり、Ｎが５に等しく、Ｍが３に等しく、前記所定のタスク遅延が１タスクの持続時間に等しい、請求項２１に記載のワイヤレスユーザ機器。
【請求項２６】
前記少なくとも１つのプロセッサが、前記受信された信号内の前記既知の同期信号の前記パターンの前記検出に応答して前記複数のＡＧＣループのリソースを割振り解除するようにさらに構成される、請求項２１に記載のワイヤレスユーザ機器。
【請求項２７】
前記少なくとも１つのプロセッサが、
前記受信された信号内の前記既知の同期信号の前記パターンの前記検出に応答してＡＧＣトラッキングモードに切り替えるようにさらに構成される、請求項２１に記載のワイヤレスユーザ機器。
【請求項２８】
前記既知の同期信号の前記パターンが１次同期信号（ＰＳＳ）パターンであり、Ｎが５に等しく、Ｍが３に等しく、前記タスク遅延が２タスクの持続時間に等しい、請求項２１に記載のワイヤレスユーザ機器。
【請求項２９】
前記少なくとも１つのプロセッサが、各ＰＳＳ期間を既知のＰＳＳ信号パターンとコヒーレントに相関させるようにさらに構成される、請求項２８に記載のワイヤレスユーザ機器。
【請求項３０】
連続するＰＳＳ期間が１チップだけオフセットされる、請求項２９に記載のワイヤレスユーザ機器。
【請求項３１】
前記受信された信号内の前記同期信号は、予め定義された限界を超えるエネルギー結果を生させる前記相関させるステップに応答して、または前記予め定義された限界を超えてピークに達した前記エネルギー結果によって検出される、請求項２９に記載のワイヤレスユーザ機器。
【請求項３２】
複数のフレームを備える信号を受信するための手段であって、前記複数のフレームの各々がサブフレームを含む、手段と、
複数のＭ×Ｎ自動利得制御（ＡＧＣ）ループを構成するための手段であって、前記複数のＡＧＣループのうちの各ＡＧＣループが複数のモジュロＭ×Ｎタスク演算のために構成され、各タスクがサブフレームごとに前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、手段と、
前記各ＡＧＣループを動作させるための手段と、
前記受信された信号内で既知の同期信号のパターンを検出するために、前記受信された信号を前記既知の同期信号と相関させるための手段と、
前記受信された信号内の前記既知の同期信号の前記パターンの検出に応答して、前記受信された信号のサブフレームタイミングを決定するための手段と
を備える、ワイヤレス通信するための装置。
【請求項３３】
前記サブフレームタイミングの決定に応答してトラッキングモードＡＧＣ動作に切り替えるための手段
をさらに備える、請求項３２に記載の装置。
【請求項３４】
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンはダウンリンク（ＤＬ）サブフレームであることが保証された前記サブフレームの直後の前記サブフレームの開始の前記所定のタスク持続時間内で発生する、請求項３２に記載の装置。
【請求項３５】
前記構成するための手段は、前記複数のＡＧＣループのうちの少なくとも２つのＡＧＣループがアキュムレータを除くすべてのコンポーネントを共有するように実行される、請求項３２に記載の装置。
【請求項３６】
前記既知の同期信号の前記パターンが１次同期信号（ＰＳＳ）パターンであり、Ｎが５に等しい、請求項３４に記載の装置。
【請求項３７】
前記既知の同期信号の前記パターンが１次同期信号（ＰＳＳ）パターンであり、Ｎが５に等しく、Ｍが３に等しい、請求項３４に記載の装置。
【請求項３８】
前記既知の同期信号の前記パターンが１次同期信号（ＰＳＳ）パターンであり、Ｎが５に等しく、Ｍが３に等しく、前記タスク遅延が１タスクの持続時間に等しい、請求項３４に記載の装置。
【請求項３９】
前記受信された信号内の前記既知の同期信号の前記パターンの前記検出に応答して前記複数のＡＧＣループのリソースを割振り解除するための手段をさらに備える、請求項３４に記載の装置。
【請求項４０】
前記受信された信号内の前記既知の同期信号の前記パターンの前記検出に応答してＡＧＣトラッキングモードに切り替えるための手段をさらに備える、請求項３４に記載の装置。
【請求項４１】
前記既知の同期信号の前記パターンが１次同期信号（ＰＳＳ）パターンであり、Ｎが５に等しく、Ｍが３に等しく、前記タスク遅延が２タスクの持続時間に等しい、請求項３４に記載の装置。
【請求項４２】
前記相関させるための手段が、各ＰＳＳ期間を既知のＰＳＳ信号パターンとコヒーレントに相関させることを備える、請求項４１に記載の装置。
【請求項４３】
連続するＰＳＳ期間が１チップだけオフセットされる、請求項４２に記載の装置。
【請求項４４】
前記受信された信号内の前記同期信号は、第１の予め定義された限界を超えるエネルギー結果を生じさせる前記相関させるための手段に応答して、または第２の予め定義された限界を超えてピークに達した前記エネルギー結果によって検出される、請求項４２に記載の装置。
【発明の詳細な説明】
【関連出願】
【０００１】
本出願は、２０１０年４月２日に出願されたAUTOMATIC GAIN CONTROL ACQUISITION IN TIME DIVISION DUPLEX SYSTEMSと題する米国仮特許出願第６１／３２０，５２５号の優先権を主張するもので、あるならば図、表、および特許請求の範囲を含めて、そのすべてがそっくり本明細書に記載されたかのように引用により本明細書に組み込まれる。
【技術分野】
【０００２】
本発明は、一般に通信に関する。より詳細には、態様において、本発明は、時分割複信ワイヤレス通信システムにおける受信機自動利得制御（automatic gain control）取得に関する。
【背景技術】
【０００３】
現代のワイヤレス通信システムは、ボイスおよびデータアプリケーションを含む様々なタイプの通信アプリケーションを与えるために広く展開されている。これらのシステムは、利用可能なシステムリソース（例えば、スペクトルおよび送信電力）を共有することによって複数のユーザとの通信をサポートすることが可能な多元接続システムであり得る。多元接続システムの例には、符号分割多元接続（ＣＤＭＡ）システム、時分割多元接続（ＴＤＭＡ）システム、周波数分割多元接続（ＦＤＭＡ）システム、時分割複信（ＴＤＤ）システム、周波数分割複信（ＦＤＤ）システム、第３世代パートナーシッププロジェクトロングタームエボリューション（３ＧＰＰ  ＬＴＥ）システム、および直交周波数分割多元接続（ＯＦＤＭＡ）システムがある。また、ポイントツーポイントシステム、ピアツーピアシステム、ワイヤレスローカルエリアネットワーク（ワイヤレスＬＡＮ）、および他のシステムがある。
【０００４】
一般に、ワイヤレス多元接続通信システムは、複数のワイヤレス端末との通信を同時にサポートできる。各端末は、順方向リンクおよび逆リンク上の送信によって１つまたは複数の送受信基地局（ＢＴＳ、基地局、アクセスポイント、ノードＢとしても知られる）と通信する。順方向リンク（ＦＬ）やダウンリンク（ＤＬ）は送受信基地局から端末への通信リンクを指し、逆方向リンクやアップリンクは端末から送受信基地局への通信リンクを指す。順方向および逆方向通信リンクの両方は、特定のリンクのために使用される送信アンテナおよび受信アンテナの数に応じて、単入力単出力（ＳＩＳＯ）、多入力単出力（ＭＩＳＯ）、単入力多出力（ＳＩＭＯ）、または多入力多出力（ＭＩＭＯ）通信テクニックにより確立され得る。
【０００５】
ＭＩＭＯシステムは、それらの比較的高いデータレート、比較的長いカバレージ範囲、および比較的信頼できるデータ送信のために特に重要である。ＭＩＭＯシステムは、データ伝送のために複数（ＮT）個の送信アンテナと複数（ＮR）個の受信アンテナとを採用する。ＮT個の送信アンテナおよびＮR個の受信アンテナによって形成されるＭＩＭＯチャネルはＮS個の独立チャネル（空間チャネルとも呼ばれる）に分解でき、ここで、ＮS≦ｍｉｎ｛ＮT，ＮR｝である。ＮS個の独立チャネルの各々が１つの次元に対応する。ＭＩＭＯシステムは、複数の送信アンテナおよび受信アンテナによって生成された追加の次元が使用される場合に、改善されたパフォーマンス（例えば、より高いスループットおよび／または改善されたロバストネス）を提供できる。
【０００６】
ＭＩＭＯテクニックは、ＴＤＤシステムとＦＤＤシステムの両方をサポートし得る。ＴＤＤシステムでは、順方向リンク送信と逆方向リンク送信とが同じ周波数帯域中で行われる。ＦＤＤシステムでは、異なる周波数帯域が順方向リンク送信および逆方向リンク送信のために使用できる。
【０００７】
多くのワイヤレス通信システムでは、モバイルデバイスやユーザ機器（ＵＥ）等の受信デバイスがそれ自体と基地局との間の順方向リンク物理チャネルの推定値を決定する。順方向リンク物理チャネル推定値は、ＵＥが基地局から受信した信号を復調して、適応電力制御および／または他の機能のために使用できる。
【０００８】
ＵＥでは、ダウンリンクチャネル推定値が一般にパイロット信号または単にパイロットから取得される。パイロットは、特定のＵＥに対して（場合によってはすべてのＵＥまたはすべてのＵＥのサブセットに対して）アプリオリに知られる基準信号である。チャネル推定および復調のために使用されるパイロットに加え、ＵＥがパワーアップ時にシステムタイミングを取得することを可能にする同期信号が存在し得る。１次同期信号および２次同期信号（それぞれ、ＰＳＳ：Primary Synchronization SignalおよびＳＳＳ：Secondary Synchronization Signal）として知られるそのような信号もアプリオリに知られる。
【０００９】
ＵＥのアンテナでの受信信号のダイナミックレンジは極めて大きいものであり得る。一般に、ＵＥは約１００ｄＢの信号電力変動に適応する必要がある。同時に、ＵＥのアナログデジタル変換器（ＡＤＣ）のビット幅によって決まるダイナミックレンジは一般に約９０ｄＢである。加えて、約６５ｄＢのＡＤＣのダイナミックレンジが、動作マージンを与え、かつキャリア対干渉比、レイリーフェージングによるチャネル変動、シャドーイング、Ｉ／Ｑ比、ピーク対平均値比、および量子化雑音などの様々な影響に適応するために必要とされるはずである。必要とされるダイナミックレンジおよびＡＤＣで利用可能なダイナミックレンジ間の差に適応するには、いくつかのＡＧＣ状態がＵＥの受信機のフロントエンドにおけるアナログ無線周波数（ＲＦ）利得を変化させるために使用できる。アナログＲＦ利得は低雑音増幅器（ＬＮＡ）の利得であり得る（または、含み得る）。各ＡＧＣ状態は所定のアナログＲＦ利得に対応し得、これらの状態は、所定のサイズ、例えば、１０または１５ｄＢの増分で増加し得る。
【００１０】
適正なＤＬ受信は、ＡＧＣが適切な状態（または数個の適切な状態のうちの１つ）にあって、ＡＤＣ入力での信号レベルが許容範囲内にあることを要求する。ＤＬ信号が取得されると、ＡＧＣ状態は閉ループ（フィードバック制御）方式で調整され得る。与えられたＤＬ周波数上でＤＬフレームのみが送信されるＦＤＤの場合、ＡＧＣ状態はネットワークタイミングが知られる前においても閉ループ方式で取得され得る。
【００１１】
ＴＤＤの場合、しかしながら、１ｍｓのＤＬサブフレームおよびＵＬサブフレームの両方が単一の１０ｍｓフレーム内に存在し得るので、ＡＧＣ取得がより複雑である。ＴＤＤでは、ＵＥがサブフレームの境界やどのサブフレームがＤＬサブフレームであるかに関する情報を持たない上、隣接するサブフレームでさえダイナミックレンジが１００ｄＢを超え得るので、ＡＧＣ取得問題は対処することがより困難である。例えば、セルエッジ動作の場合、例えばＤＬ信号が極めて弱くなるはずである一方で、別のＵＥがそばに位置し、同一周波数および同一フレーム内にあるＵＬ上で全電力で送信し得る。本質的に、ＵＬサブフレームはＡＧＣ取得に干渉し得る。
【００１２】
この問題を解決する１つの方法は、受信機（例えば、ＵＥ）が、与えられた利得状態（例えば、「１」）を使用してシステムを取得することを試みることである。選択された利得状態において取得試行が失敗した場合、受信機は、システムが正常に取得されるまで、他の利得状態（例えば、利得状態２、利得状態３など）について順次繰り返し得る。このブルートフォース（brute-force）手法は、特に、ＡＧＣが順次試みるようにプログラムされた複数の状態のシーケンスのうちの最後の状態に適切なＡＧＣ状態があたる場合に長い時間を要し得る。
【００１３】
従って、当技術分野では、ＴＤＤシステムにおけるＡＧＣ取得の時間を低減する装置、方法、および製造品の必要性が存在する。さらなる必要性がＴＤＤシステムにおけるＡＧＣ取得中のＵＥ電力および計算リソースの消費を低減する装置、方法、および製造品について存在する。
【発明の概要】
【００１４】
上記に鑑み、本明細書で開示する実施形態は、電力検出器の出力が所定の遅延後などにアナログＲＦ利得状態機械の入力を駆動する複数の（Ｍ×Ｎ）ＡＧＣループを維持することによってアナログＲＦフロントエンドの自動利得制御を取得するようにユーザ機器を構成するための装置、方法、および／または製造品を提供することによって上述した必要性に対処し得る。複数のループの各々は、長さにおいてサブフレームの１つの断片部である複数のタスクの異なる周期セットに対応する。複数のサブフレームは、サブフレームごとにＭ個（Ｍ＞１）の断片部があるように等分される。複数のループの各々において、アナログＲＦ利得はｋ≧０個のタスク前に測られた電力測定値によって決定される。ここで、Ｎは複数のフレーム内の同期信号のサブフレーム周期性を示し、ｋは整数、例えば１である。例えばＬＴＥについては、同期信号が時分割複信サブフレーム１および６において早期に発生する１次同期信号（ＰＳＳ）であり得る。従って、ＮはＬＴＥについて５に等しくなり得る。サブフレーム０および５はダウンリンクサブフレームであり、それゆえＵＥのループのうちの１つがダウンリンクサブフレームのための適切なＡＧＣ利得に収束し、ネットワークタイミングを取得するためにＰＳＳを検出／復号できることに留意されたい。
【００１５】
ＬＴＥシステムについて上述した数字表記（numerology）は例示的である。本明細書で記述された実施形態は、ＬＴＥや記述された特定の数字表記に限定されない。
【００１６】
一実施形態では、ワイヤレス通信方法が、（１）複数のフレームを備える受信信号をユーザ機器（ＵＥ）で受信するステップであって、複数のフレームの各々が複数のサブフレームを含む、ステップと、（２）複数のＭ×Ｎ自動利得制御（ＡＧＣ）ループをＵＥで構成するステップであって、複数のＡＧＣループのうちの各ＡＧＣループが複数のモジュロＭ×Ｎタスク演算のために構成され、各タスクがサブフレームごとに複数のタスクの所定のタスク持続時間Ｍを有し、Ｍが１よりも大きい整数であり、Ｎが複数のフレーム内の保証ダウンリンク（ＤＬ）サブフレームの周期性であり、前記各ＡＧＣループが前記各ＡＧＣループのアキュムレータの入力の前に所定のタスク遅延を含み、所定のタスク遅延が整数個のタスクに等しい、ステップと、（３）前記各ＡＧＣループを動作させるためのステップと、（４）受信された信号内で既知の同期信号のパターンを検出するために受信された信号を既知の同期信号と相関させるステップと、（５）受信された信号内の既知の同期信号のパターンの検出に応答して、受信された信号のサブフレームタイミングを決定するステップとを備える。こうして、ＵＥは、例えば、受信された信号中の情報を復号し、復号された情報をユーザに提供する（情報をレンダリング、再生、表示、記憶、転送する）ために、取得されたＡＧＣで動作を継続できる。
【００１７】
一実施形態では、コンピュータプログラム製品が、（１）複数のフレームを備える受信信号をユーザ機器（ＵＥ）で受信するためのコードであって、複数のフレームの各々が複数のサブフレームを含む、コードと、（２）複数のＭ×Ｎ自動利得制御（ＡＧＣ）ループをＵＥで構成するためのコードであって、複数のＡＧＣループのうちの各ＡＧＣループが複数のモジュロＭ×Ｎタスク演算のために構成され、各タスクがサブフレームごとに複数のタスクの所定のタスク持続時間Ｍを有し、Ｍが１よりも大きい整数であり、Ｎが複数のフレーム内の保証ダウンリンク（ＤＬ）サブフレームの周期性であり、前記各ＡＧＣループが前記各ＡＧＣループのアキュムレータの入力の前に所定のタスク遅延を含み、所定のタスク遅延が整数個のタスクに等しい、コードと、（３）前記各ＡＧＣループを動作させるためのコードと、（４）受信された信号内で既知の同期信号のパターンを検出するために、受信された信号を既知の同期信号と相関させるためのコードと、（５）受信された信号内の既知の同期信号のパターンの検出に応答して、受信された信号のサブフレームタイミングを決定するためのコードと、（６）サブフレームタイミングの決定に応答して、ＵＥをトラッキングモードＡＧＣ動作に切り替えるためのコードとを含む埋込みコードを備える非一時的コンピュータ可読ストレージを持つ。
【００１８】
一実施形態では、ワイヤレスユーザ機器（ＵＥ）が、少なくとも１つの受信機と、少なくとも１つのプロセッサとを備える。このユーザ機器は、（１）複数のフレームを備える受信信号を受信するステップであって、複数のフレームの各々が複数のサブフレームを含む、ステップと、（２）複数のＭ×Ｎ自動利得制御（ＡＧＣ）ループをＵＥで構成するステップであって、複数のＡＧＣループのうちの各ＡＧＣループが複数のモジュロＭ×Ｎタスク演算のために構成され、各タスクがサブフレームごとに複数のタスクの所定のタスク持続時間Ｍを有し、Ｍが１よりも大きい整数であり、Ｎが複数のフレーム内の保証ダウンリンク（ＤＬ）サブフレームの周期性であり、前記各ＡＧＣループが前記各ＡＧＣループのアキュムレータの入力の前に所定のタスク遅延を含み、所定のタスク遅延が整数個のタスクに等しい、ステップと、（３）前記各ＡＧＣループを動作させるステップと、（４）受信された信号内で既知の同期信号のパターンを検出するために、受信された信号を既知の同期信号と相関させるステップと、（５）受信された信号内の既知の同期信号のパターンの検出に応答して、受信された信号のサブフレームタイミングを決定するステップとを行うように構成される。
【００１９】
一実施形態では、ワイヤレスユーザ機器（ＵＥ）が、（１）複数のフレームを備える受信信号を受信するように構成される受信機であって、複数のフレームの各々が複数のサブフレームを含む、受信機と、（２）複数のＭ×Ｎ自動利得制御（ＡＧＣ）ループを動作させるための手段であって、複数のＡＧＣループのうちの各ＡＧＣループが複数のモジュロＭ×Ｎタスク演算のために構成され、各タスクがサブフレームごとに複数のタスクの所定のタスク持続時間Ｍを有し、Ｍが１よりも大きい整数であり、Ｎが複数のフレーム内の保証ダウンリンク（ＤＬ）サブフレームの周期性であり、前記各ＡＧＣループが前記各ＡＧＣループのアキュムレータの入力の前に所定のタスク遅延を含み、所定のタスク遅延が整数個のタスクに等しい、手段と、（３）受信された信号内で同期信号のパターンを検出するように構成される相関器と、（４）受信された信号内の同期信号のパターンの検出に応答して、受信された信号のタイミングを決定するように構成されるサブフレームタイミング回路とを備える。
【００２０】
一実施形態では、プロセッサが、（１）複数のフレームを備える受信信号をユーザ機器（ＵＥ）で受信するステップであって、複数のフレームの各々が複数のサブフレームを含む、ステップと、（２）複数のＭ×Ｎ自動利得制御（ＡＧＣ）ループをＵＥで構成するステップであって、複数のＡＧＣループのうちの各ＡＧＣループが複数のモジュロＭ×Ｎタスク演算のために構成され、各タスクがサブフレームごとに複数のタスクの所定のタスク持続時間Ｍを有し、Ｍが１よりも大きい整数であり、Ｎが複数のフレーム内の保証ダウンリンク（ＤＬ）サブフレームの周期性であり、前記各ＡＧＣループが前記各ＡＧＣループのアキュムレータの入力の前に所定のタスク遅延を含み、所定のタスク遅延が整数個のタスクに等しい、ステップと、（３）前記各ＡＧＣループを動作させるステップと、（４）受信された信号内で既知の同期信号のパターンを検出するために、受信された信号を既知の同期信号と相関させるステップと、（５）受信された信号内の同期信号のパターンの検出に応答して、受信された信号のサブフレームタイミングを決定するステップと、（６）サブフレームタイミングの決定に応答して、ＵＥをトラッキングモードＡＧＣ動作に切り替えるステップとを行うように構成される。
【００２１】
本方法、装置、および製造品の適用性のさらなる範囲は、以下の発明を実施するための形態、特許請求の範囲、および図面から明らかになるはずである。ただし、発明を実施するための形態および特定の例は、本発明の１つまたは複数の好適な実施形態を示すものであるが、本発明の要旨および範囲内の様々な変更および変形が当業者にとって明らかなことから、単に例として与えられたものであることが理解されよう。
【図面の簡単な説明】
【００２２】
【図１】２つの無線ネットワークサブシステムをコアおよびユーザ機器に対するこれらのインターフェースと一緒に有する無線アクセスシステムのブロック図。
【図２】セルラー通信システムの簡略図。
【図３】本明細書で以下に詳述されるもので、特に、ノードＢと無線ネットワークコントローラとがパケットネットワークインターフェースでインターフェースし、無線ネットワークコントローラとノードＢとを含む通信システムの一部分を示す図。
【図４】ユーザ機器（ＵＥ）のブロック図。
【図５】送信機の構成物を通る信号の機能ブロック流れ図。
【図６】トラッキングモードにおけるＡＧＣループの選ばれた要素を示す図。
【図７】電力検出器伝達関数の選ばれた特徴を示す図。
【図８】ＴＤＤサブフレームの選ばれた特徴を示す図。
【図９】連続するオフセットＰＳＳ期間中における電力検出器動作の選ばれた特徴を示す図。
【図１０】取得モードにおけるＡＧＣループの選ばれた要素を示す図。
【図１１】ＡＧＣおよびネットワークタイミングを取得するためのプロセスの選択されたステップ／決定を示す図。
【発明を実施するための形態】
【００２３】
本テクニックのいくつかの態様について本明細書ではＬＴＥに関して説明し、従って、以下の説明ではＬＴＥ用語を使用し得る。しかし、本テクニックは、他の規格および技術に適用可能である。
【００２４】
添付の図面に関連して以下に提示する詳細な説明は、本発明の例示的な実施形態の記載であることを意図するもので、本発明が実施され得る唯一の実施形態を表すことを意図しない。詳細な説明は、本発明の完全な理解を提供する目的で特定の詳細を含む。しかしながら、本発明がこのような特定の詳細なしで実施できることは当業者に明らかであろう。いくつかの例では、本発明の概念を曖昧にすることを回避するために、周知の構造およびデバイスがブロック図の形式で示される。
【００２５】
「実施形態」、「変形態」、「実装形態」、「例」という単語、および同様の表現が、特定の装置、プロセス、または製造品を指すために使用されるが、必ずしも同じ装置、プロセス、または製造品を指すとは限らない。従って、ある場所またはコンテキストにおいて使用される「一実施形態」（または同様の表現）は、特定の装置、プロセス、または製造品を指し得、異なる場所における同じまたは同様の表現は、異なる装置、プロセス、または製造品を指し得る。「代替実施形態」、「代わりに」という表現、および同様の句が、いくつかの異なる可能な実施形態のうちの１つを示すために使用され得る。可能な実施形態の数は、必ずしも２つまたは他の数量に限定されるとは限らない。
【００２６】
「例示的」という単語は、本明細書では「例、事例、または例示として働くこと」を意味するために使用され得る。本明細書に「例示的」と記載されたいかなる実施形態または変形態も、必ずしも他の実施形態または変形態よりも好ましいまたは有利であると解釈されるべきではない。本明細書に記載のすべての実施形態および変形態は、当業者が本発明を作成および使用できるように与えられるものであり、必ずしも本発明に与えられる法的保護の範囲を限定するとは限らない例示的な実施形態および変形態である。
【００２７】
「パイロット」および「パイロット基準」は、受信機送信機同期およびチャネル推定のような目的のための既知の１つまたは複数のシンボルの送信を示すために区別なく使用される。パイロットは、一般にチャネル推定、復調、および関連する機能のために使用される。「１次同期信号」および「２次同期信号」（「ＰＳＳ」および「ＳＳＳ」）は、アプリオリに知られて、ＵＥをネットワークと同期させるために使用される信号である。
【００２８】
フレーム内の保証ダウンリンクまたはＤＬサブフレーム周期性と呼ばれる数（例えば、Ｎ）は、フレーム内のＮ個おきのサブフレームがダウンリンクサブフレームであることが保証され、これらの対応フレームに関係する保証ダウンリンクサブフレームの位置が同じであることを示す。例えば、フレームごとに、０から９まで連続的に番号付けされた１０個のサブフレームがあり得る。どのサブフレーム０およびどのサブフレーム５もダウンリンクサブフレームであることが保証される場合、５つおきのサブフレーム（サブフレーム０および５）がダウンリンクサブフレームであるので、フレーム内の保証ＤＬサブフレーム周期性は５（Ｎ＝５）である。この周期性は、他のサブフレーム（１〜４および６〜９）のいずれかがダウンリンクサブフレームになることを妨げないことに留意されたい。
【００２９】
本明細書に記述されるテクニックは、必ずしもＯＦＤＭおよびＯＦＤＭＡネットワークに限定されなくてよいが、いくつかの態様では、ＣＤＭＡネットワーク、ＴＤＭＡネットワーク、およびＦＤＭＡネットワークを含む様々な他のワイヤレス通信ネットワークのために使用されてよい。「ネットワーク」および「システム」という用語は、しばしば区別なく使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、および他の技術などの無線技術を実装し得る。ＵＴＲＡネットワークは、広帯域ＣＤＭＡ（Ｗ−ＣＤＭＡ）および低チップレート（ＬＣＲ）ネットワークを含む。ｃｄｍａ２０００の名称は、ＩＳ−２０００、ＩＳ−９５およびＩＳ−８５６規格を指す。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）等の無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ、および他の技術などの無線技術を実装し得る。Ｕｎｉｖｅｒｓａｌ  Ｔｅｒｒｅｓｔｒｉａｌ  Ｒａｄｉｏ  Ａｃｃｅｓｓ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥシステム規格は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００規格は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。
【００３０】
本開示の原理を適用するように構成され得るＵＭＴＳに従って動作する無線ネットワーク１００の一例について、図１〜図５を参照してさらに本明細書で説明する。ノードＢ１１０、１１１、１１４および無線ネットワークコントローラ１４１〜１４４は、「無線ネットワーク」、「ＲＮ」、「アクセスネットワーク」、または「ＡＮ」と呼ばれるネットワークの一部である。無線ネットワークはＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）であり得る。ＵＭＴＳ  Ｔｅｒｒｅｓｔｒｉａｌ  Ｒａｄｉｏ  Ａｃｃｅｓｓ  Ｎｅｔｗｏｒｋは、ＵＭＴＳ無線アクセスネットワークを構成する、ノードＢ（または基地局）と、それが含むノードＢ（または無線ネットワークコントローラ（ＲＮＣ））用の制御機器との総称である。これは、リアルタイム回線交換トラフィックとＩＰベースのパケット交換トラフィックの両方を搬送できる３Ｇ通信ネットワークであり得る。ＵＴＲＡＮは、ユーザ機器（ＵＥ）１２３〜１２７のためのエアインターフェースアクセス方法を与える。ＵＴＲＡＮによってＵＥとコアネットワークとの間の接続性が与えられる。無線ネットワークは、複数のユーザ機器デバイス１２３〜１２７間でデータパケットをトランスポートし得る。
【００３１】
ＵＴＲＡＮは、４つのインターフェースＩｕ、Ｕｕ、ＩｕｂおよびＩｕｒによって他の機能エンティティに内部または外部で接続される。ＵＴＲＡＮは、Ｉｕと呼ばれる外部インターフェースを介してＧＳＭコアネットワーク１２１に接続される。（図２に示す）無線ネットワークコントローラ１４１〜１４４は、そのうちの１４１、１４２が図１に示されており、このインターフェースをサポートする。さらに、ＲＮＣは、Ｉｕｂと標示されたインターフェースを介して、ノードＢと呼ばれる基地局のセットを管理する。Ｉｕｒインターフェースは、２つのＲＮＣ１４１〜１４４を互いに接続する。ＲＮＣ１４１〜１４４がＩｕｒインターフェースによって相互接続されるので、ＵＴＲＡＮは大部分がコアネットワーク１２１から自律している。図１は、ＲＮＣと、ノードＢと、ＩｕおよびＵｕインターフェースとを使用する通信システムを開示する。また、Ｕｕは外部にあり、ノードＢをＵＥに接続するが、Ｉｕｂは、ＲＮＣをノードＢに接続する内部インターフェースである。
【００３２】
無線ネットワークはさらに、上述のように、企業内イントラネット、インターネット、または従来の公衆交換電話網など、無線ネットワーク外部の追加のネットワークに接続され得、各ユーザ機器デバイス１２３〜１２７とそのような外部ネットワークとの間でデータパケットをトランスポートし得る。
【００３３】
図２は、ノードＢ（または基地局またはワイヤレス送受信基地局）１１０、１１１、および１１４に結合された無線ネットワークコントローラ（または基地局コントローラ、ＢＳＣ）１４１〜１４４を含む、ネットワーク１００の複数の選ばれたコンポーネントを示す。ノードＢ１１０、１１１、１１４は、対応するワイヤレス接続１５５、１６７、１８２、１９２、１９３、１９４を介してユーザ機器（または遠隔局）１２３〜１２７と通信する。通信チャネルは、ノードＢ１１０、１１１、１１４からユーザ機器（ＵＥ）１２３〜１２７への送信のための順方向リンク（ＦＬ、ダウンリンクとしても知られる）と、ＵＥ１２３〜１２７からノードＢ１１０、１１１、１１４への送信のための逆方向リンク（ＲＬ、アップリンクとしても知られる）とを含む。ＲＮＣ１４１〜１４４は、１つまたは複数のノードＢに制御機能を与える。無線ネットワークコントローラ１４１〜１４４は、モバイル交換センター（ＭＳＣ）１５１、１５２を介して公衆交換電話網（ＰＳＴＮ）１４８に結合される。別の例では、無線ネットワークコントローラ１４１〜１４４は、パケットデータサーバノード（ＰＤＳＮ、図示せず）を介してパケット交換ネットワーク（ＰＳＮ）（図示せず）に結合される。無線ネットワークコントローラ１４１〜１４４およびパケットデータサーバノードなど、様々なネットワーク要素間のデータ交換は、任意の数のプロトコル、例えば、インターネットプロトコル（ＩＰ）、非同期転送モード（ＡＴＭ）プロトコル、Ｔ１、Ｅ１、フレームリレー、および他のプロトコルを使用して実装され得る。
【００３４】
ＲＮＣは複数の役割を果たす。第１に、ＲＮＣは、ノードＢを使用しようと試みる新しいモバイルまたはサービスの承認を制御し得る。第２に、ノードＢ、または基地局の観点からは、ＲＮＣは制御ＲＮＣである。承認制御は、ネットワークが利用可能なものまでの無線リソース（帯域幅および信号対雑音比）がモバイルに割り振られることを確実にする。それは、ノードＢのＩｕｂインターフェースが終了するところである。ＵＥまたはモバイルの観点からは、ＲＮＣは、それがモバイルのリンクレイヤ通信を終了するサービングＲＮＣとして働く。コアネットワークの観点からは、サービングＲＮＣは、ＵＥのためのＩｕを終了する。サービングＲＮＣはまた、それのＩｕインターフェースを介してコアネットワークを使用しようと試みる新しいモバイルまたはサービスの承認を制御する。
【００３５】
Ｗ−ＣＤＭＡ
エアインターフェースについて、ＵＭＴＳは、一般に、広帯域符号分割多元接続（またはＷ−ＣＤＭＡ）として知られる広帯域スペクトラム拡散モバイルエアインターフェースを使用する。Ｗ−ＣＤＭＡは、別々のユーザに対して直接シーケンス符号分割多元接続シグナリング方法（またはＣＤＭＡ）を使用する。Ｗｉｄｅｂａｎｄ  Ｃｏｄｅ  Ｄｉｖｉｓｉｏｎ  Ｍｕｌｔｉｐｌｅ  Ａｃｃｅｓｓは、モバイル通信のための第３世代規格である。Ｗｉｄｅｂａｎｄ  Ｃｏｄｅ  Ｄｉｖｉｓｉｏｎ  Ｍｕｌｔｉｐｌｅ  Ａｃｃｅｓｓは、限られたデータ能力をもつボイス通信に適応されたＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ、第２世代規格から発展した。Ｗ−ＣＤＭＡの第１の商用展開は、Ｗ−ＣＤＭＡ  Ｒｅｌｅａｓｅ  ９９と呼ばれる規格のバージョンに基づいた。
【００３６】
Ｒｅｌｅａｓｅ  ９９仕様は、アップリンクパケットデータを有効化する２つのテクニックを定義している。最も一般的には、データ送信は、専用チャネル（ＤＣＨ）またはランダムアクセスチャネル（ＲＡＣＨ）のいずれかを使用してサポートされる。しかしながら、ＤＣＨは、パケットデータサービスのサポートのための１次チャネルである。各遠隔局１２３〜１２７は、直交可変拡散率（ＯＶＳＦ：orthogonal variable spreading factor）符号を使用する。当業者なら諒解するように、ＯＶＳＦ符号は、個々の通信チャネルを一意に識別することを可能にする直交符号である。さらに、ソフトハンドオーバを使用してマイクロダイバーシティがサポートされ、ＤＣＨとともに閉ループ電力制御が採用される。
【００３７】
ＣＤＭＡシステムでは、通常、送信パイロット信号を含む送信データを拡散するために擬似ランダム雑音（ＰＮ）シーケンスが使用される。ＰＮシーケンスの単一の値を送信するように要求される時間はチップとして知られ、チップが変動する割合はチップレートとして知られている。受信機がそれのＰＮシーケンスをノードＢ１１０、１１１、１１４のＰＮシーケンスに整合させる要件は、直接シーケンスＣＤＭＡシステムの設計に固有である。Ｗ−ＣＤＭＡ規格によって定義されたシステムなど、いくつかのシステムは、プライマリスクランブリング符号として知られる、各々についての一意のＰＮ符号を使用して基地局１１０、１１１、１１４を区別する。Ｗ−ＣＤＭＡ規格は、ダウンリンクをスクランブルするための２つのゴールド符号シーケンス、すなわち、同相成分（Ｉ）のためのゴールド符号シーケンスと、直角位相（Ｑ）成分のための別のゴールド符号シーケンスとを定義している。Ｉ  ＰＮシーケンスとＱ  ＰＮシーケンスとは一緒に、データ変調なしにセル全体にわたってブロードキャストされる。このブロードキャストは、共通パイロットチャネル（ＣＰＩＣＨ）と呼ばれる。生成されたＰＮシーケンスは、３８，４００チップの長さに切り捨てられる。３８，４００チップの期間は無線フレームと呼ばれる。各無線フレームは、スロットと呼ばれる１５個の等しいセクションに分割される。Ｗ−ＣＤＭＡノードＢ１１０、１１１、１１４は、互いに対して非同期的に動作し、従って、１つの基地局１１０、１１１、１１４のフレームタイミングの知識は、他のノードＢ１１０、１１１、１１４のフレームタイミングの知識につながらない。この知識を取得するために、Ｗ−ＣＤＭＡシステムは同期チャネルとセル探索テクニックとを使用する。
【００３８】
ＨＳＰＡ
３ＧＰＰ  Ｒｅｌｅａｓｅ  ５以降はＨｉｇｈ−Ｓｐｅｅｄ  Ｄｏｗｎｌｉｎｋ  Ｐａｃｋｅｔ  Ａｃｃｅｓｓ（ＨＳＤＰＡ）をサポートしている。３ＧＰＰ  Ｒｅｌｅａｓｅ  ６以降はＨｉｇｈ−Ｓｐｅｅｄ  Ｕｐｌｉｎｋ  Ｐａｃｋｅｔ  Ａｃｃｅｓｓ（ＨＳＵＰＡ）をサポートしている。ＨＳＤＰＡおよびＨＳＵＰＡは、それぞれダウンリンクおよびアップリンク上での高速パケットデータ送信を可能にするチャネルと手順のセットである。Ｒｅｌｅａｓｅ  ７  ＨＳＰＡ＋は、データレートを改善するために３つの拡張を使用する。第１に、Ｒｅｌｅａｓｅ  ７  ＨＳＰＡ＋は、ダウンリンク上での２×２ＭＩＭＯのためのサポートを導入した。ＭＩＭＯの場合、ダウンリンク上でサポートされるピークデータレートは２８Ｍｂｐｓである。第２に、ダウンリンク上で高次変調が導入されている。ダウンリンク上での６４ＱＡＭの使用は、ピークデータレート２１Ｍｂｐｓを可能にする。第３に、アップリンク上で高次変調が導入されている。アップリンク上での１６ＱＡＭの使用は、ピークデータレート１１Ｍｂｐｓを可能にする。
【００３９】
ＨＳＵＰＡでは、ノードＢ１１０、１１１、１１４は、いくつかのユーザ機器デバイス１２３〜１２７がある電力レベルにおいて同時に送信することを許可する。これらの許可は、短期間（数十ミリ秒）ごとにリソースを割り振る高速スケジューリングアルゴリズムを使用することによってユーザに割り当てられる。ＨＳＵＰＡの迅速なスケジューリングは、パケットデータのバースト的性質に好適である。高いアクティビティの期間中に、ユーザは、より大きい割合の利用可能なリソースを得ることがあるが、低いアクティビティの期間中にはほとんどまたはまったく帯域幅を得ないことがある。
【００４０】
３ＧＰＰ  Ｒｅｌｅａｓｅ  ５  ＨＳＤＰＡでは、アクセスネットワークの送受信基地局１１０、１１１、１１４は、ユーザ機器デバイス１２３〜１２７に、ダウンリンクペイロードデータを高速ダウンリンク共有チャネル（ＨＳ−ＤＳＣＨ）上で送り、ダウンリンクデータに関連する制御情報を高速共有制御チャネル（ＨＳ−ＳＣＣＨ）上で送る。データ送信のために使用される２５６個の直交可変拡散率（ＯＶＳＦまたはウォルシュ）符号がある。ＨＳＤＰＡシステムでは、これらの符号は、セルラーテレフォニー（ボイス）のために一般に使用されるＲｅｌｅａｓｅ  １９９９（レガシーシステム）符号と、データサービスのために使用されるＨＳＤＰＡ符号とに区分される。送信時間インターバル（ＴＴＩ）ごとに、ＨＳＤＰＡ対応ユーザ機器デバイス１２３〜１２７に送られる専用制御情報は、ダウンリンクペイロードデータをそれらのデバイスに送るために符号空間内のどの符号が使用されるかと、そのダウンリンクペイロードデータの送信のために使用される変調とをそれらのデバイスに対して示す。
【００４１】
ＨＳＤＰＡ動作の場合、ユーザ機器デバイス１２３〜１２７へのダウンリンク送信は、１５個の利用可能なＨＳＤＰＡ  ＯＶＳＦ符号を使用して、異なる送信時間インターバルのためにスケジュールされ得る。所与のＴＴＩの間、各ユーザ機器デバイス１２３〜１２７は、ＴＴＩ中にそれらのデバイスに割り振られたダウンリンク帯域幅に応じて、１５個のＨＳＤＰＡ符号のうちの１つまたは複数を使用し得る。すでに言及したように、ＴＴＩごとに、制御情報は、ユーザ機器デバイス１２３〜１２７に対して、ダウンリンクペイロードデータ（無線ネットワークの制御データ以外のデータ）をそれらのデバイスに送るために符号空間内のどの符号が使用されるかと、ダウンリンクペイロードデータの送信のために使用される変調とを示す。
【００４２】
ＭＩＭＯ
ＭＩＭＯシステムでは、Ｎ（送信機アンテナの数）×Ｍ（受信機アンテナの数）個の信号経路が送信アンテナと受信アンテナとの間にあり、これらの経路上の信号は同じでない。ＭＩＭＯは複数のデータ送信パイプを作成する。パイプは、時空間領域において直交している。パイプの数はシステムのランクに等しい。これらのパイプは時空間領域において直交しているので、それらは互いに干渉をほとんど生じない。データパイプは、Ｎ×Ｍ個の経路上の信号を適切に組み合わせることによる適切なデジタル信号処理を用いて実現される。送信パイプは、アンテナ送信チェーンまたはいずれか１つの特定の送信経路に対応しないことに留意されたい。
【００４３】
通信システムは単一のキャリア周波数または複数のキャリア周波数を使用し得る。各リンクは、異なる数のキャリア周波数を組み込み得る。さらに、アクセス端末１２３〜１２７は、ワイヤレスチャネルを介して、あるいは、例えば、光ファイバーまたは同軸ケーブルを使用するワイヤードチャネルを介して通信する任意のデータデバイスであり得る。アクセス端末１２３〜１２７は、限定するものでないが、ＰＣカード、コンパクトフラッシュ(登録商標)、外部または内部モデム、あるいはワイヤレス電話または有線電話を含む多数のタイプのデバイスのいずれかであり得る。アクセス端末１２３〜１２７はまた、ユーザ機器（ＵＥ）、遠隔局、移動局または加入者局として知られていることがある。また、ＵＥ１２３〜１２７は移動または固定であり得る。
【００４４】
１つまたは複数のノードＢ１１０、１１１、１１４とのアクティブトラフィックチャネル接続を確立したユーザ機器１２３〜１２７は、アクティブユーザ機器１２３〜１２７と呼ばれ、トラフィック状態にあると言われる。１つまたは複数のノードＢ１１０、１１１、１１４とのアクティブトラフィックチャネル接続を確立中であるユーザ機器１２３〜１２７は、接続セットアップ状態にあると言われる。ユーザ機器１２３〜１２７は、ワイヤレスチャネルを介して、あるいは、例えば、光ファイバーまたは同軸ケーブルを使用するワイヤードチャネルを介して通信する任意のデータデバイスであり得る。ユーザ機器１２３〜１２７が信号をノードＢ１１０、１１１、１１４に送る通信リンクは、アップリンクと呼ばれる。ノードＢ１１０、１１１、１１４が信号をユーザ機器１２３〜１２７に送る通信リンクは、ダウンリンクと呼ばれる。
【００４５】
図３が本明細書において以下で詳述され、特に、ノードＢ１１０、１１１、１１４および無線ネットワークコントローラ１４１〜１４４がパケットネットワークインターフェース１４６とインターフェースする。（図３には、簡単のために、ただ１つのノードＢ１１０、１１１、１１４が示されている。）ノードＢ１１０、１１１、１１４および無線ネットワークコントローラ１４１〜１４４は、図１および図３中に１つまたは複数のノードＢ１１０、１１１、１１４と無線ネットワークコントローラ１４１〜１４４とを囲む破線として示された、無線ネットワークサーバ（ＲＮＳ）６６の一部であり得る。送信されるべき関連する量のデータがノードＢ１１０、１１１、１１４中のデータキュー１７２から取り出され、データキュー１７２に関連するユーザ機器１２３〜１２７への送信のためにチャネル要素１６８に供給される。
【００４６】
無線ネットワークコントローラ１４１〜１４４は、モバイル交換センター１５１、１５２を介して公衆交換電話網（ＰＳＴＮ）１４８とインターフェースする。また、無線ネットワークコントローラ１４１〜１４４は、通信システム１００中のノードＢ１１０、１１１、１１４とインターフェースする。さらに、無線ネットワークコントローラ１４１〜１４４はパケットネットワークインターフェース１４６とインターフェースする。無線ネットワークコントローラ１４１〜１４４は、通信システム中のユーザ機器１２３〜１２７と、パケットネットワークインターフェース１４６およびＰＳＴＮ１４８に接続された他のユーザとの間の通信を調整する。ＰＳＴＮ１４８は、標準電話ネットワーク（図３に図示せず）を介してユーザとインターフェースする。
【００４７】
無線ネットワークコントローラ１４１〜１４４は多くのセレクタ要素１３６を含むことがあるが、図３には、簡単のために１つのみが示されている。各セレクタ要素１３６は、１つまたは複数のノードＢ１１０、１１１、１１４と１つの遠隔局１２３〜１２７（図３に図示せず）との間の通信を制御するために割り当てられる。セレクタ要素１３６が所与のユーザ機器１２３〜１２７に割り当てられていない場合、ユーザ機器１２３〜１２７をページングする必要が呼制御プロセッサ１４０に通知される。次いで、呼制御プロセッサ１４０は、ユーザ機器１２３〜１２７をページングするようにノードＢ１１０、１１１、１１４に指示する。
【００４８】
データソース１２２は、所与のユーザ機器１２３〜１２７に送信されるべき、ある量のデータを含む。データソース１２２はデータをパケットネットワークインターフェース１４６に供給する。パケットネットワークインターフェース１４６は、データを受信し、データをセレクタ要素１３６にルーティングする。次いで、セレクタ要素１３６は、データを、ターゲットユーザ機器１２３〜１２７と通信しているノードＢ１１０、１１１、１１４に送信する。例示的な実施形態では、各ノードＢ１１０、１１１、１１４が、ユーザ機器１２３〜１２７に送信されるべきデータを記憶するデータキュー１７２を維持する。
【００４９】
データパケットごとに、チャネル要素１６８は制御フィールドを挿入する。例示的な実施形態では、チャネル要素１６８が、データパケットと制御フィールドとの巡回冗長検査（ＣＲＣ）、符号化を実行し、符号テールビットのセットを挿入する。データパケット、制御フィールド、ＣＲＣビット、および符号テールビットは、フォーマットされたパケットを備える。例示的な実施形態では、チャネル要素１６８が、次いで、フォーマットされたパケットを符号化し、符号化されたパケット内でシンボルをインターリーブ（またはリオーダー）する。例示的な実施形態では、インターリーブされたパケットが、ウォルシュ符号でカバーされ、短いＰＮＩ符号およびＰＮＱ符号で拡散される。拡散されたデータは、信号を直交変調し、フィルタ処理し、増幅するＲＦユニット１７０に供給される。ダウンリンク信号が、１つまたは複数のアンテナを介して無線で送信される。
【００５０】
ユーザ機器１２３〜１２７で、ダウンリンク信号は、１つまたは複数のアンテナによって受信され、受信機にルーティングされる。受信機は、信号をフィルタ処理し、増幅し、直交復調し、量子化する。デジタル化された信号は、復調器（ＤＥＭＯＤ）に供給され、そこで、短いＰＮＩ符号およびＰＮＱ符号で逆拡散され、ウォルシュカバーでデカバーされる。復調されたデータは、ノードＢ１１０、１１１、１１４において行われた信号処理機能の逆、具体的には、デインターリーブ、復号、ＣＲＣ検査機能を実行するデコーダに供給される。復号されたデータはデータシンクに供給される。
【００５１】
図４は、ユーザ機器１２３〜１２７の一実施形態を示し、ＵＥ１２３〜１２７は、（ＰＡ１０８を含む）送信回路１６４と、受信回路１０９と、電力コントローラ１０７と、復号プロセッサ１５８と、信号を処理する際に使用する処理ユニット１０３と、メモリ１１６とを含む。送信回路１６４および受信回路１０９は、ＵＥ１２３〜１２７と遠隔ロケーションとの間で、オーディオ通信のような、データの送信および受信を可能にし得る。送信回路１６４および受信回路１０９はアンテナ１１８に結合され得る。
【００５２】
処理ユニット１０３はＵＥ１２３〜１２７の動作を制御する。処理ユニット１０３はＣＰＵと呼ばれることもある。読取り専用メモリ（ＲＯＭ）およびランダムアクセスメモリ（ＲＡＭ）の両方を含み得るメモリ４１６は、命令およびデータを処理ユニット１０３に供給する。メモリ１１６の一部は不揮発性ランダムアクセスメモリ（ＮＶＲＡＭ）をも含み得る。
【００５３】
ＵＥ１２３〜１２７の様々なコンポーネントは、データバスに加えて、電力バス、制御信号バス、およびステータス信号バスを含み得るバスシステム１３０によって一緒に結合される。しかしながら、明確さのために、図４では、様々なバスがバスシステム１３０として示される。
【００５４】
扱われた方法のステップは、図３に示すように、ノードＢ１１０、１１１、１１４中のメモリ１６１中にあるソフトウェアまたはファームウェア４３の形態の命令としても記憶され得る。これら命令は、図３中のノードＢ１１０、１１１、１１４の制御ユニット１６２によって実行され得る。代わりに、または連携して、扱われた方法のステップは、ＵＥ１２３〜１２７中のメモリ１１６中にあるソフトウェアまたはファームウェア４２の形態の命令として記憶され得る。これら命令は、図４中のＵＥ１２３〜１２７の処理ユニット１０３によって実行され得る。
【００５５】
図５は、例えば、ユーザ機器１２３〜１２７において実装され得る送信機構造および／またはプロセスの一例を示す。図５に示す機能およびコンポーネントは、ソフトウェア、ハードウェア、またはソフトウェアとハードウェアとの組合せによって実装され得る。図５に示す機能に加えてまたはその代わりに、他の機能が図５に追加され得る。
【００５６】
図５では、データソース２００がデータｄ（ｔ）または２００ａをＦＱＩ／エンコーダ２０２に供給する。ＦＱＩ／エンコーダ２０２は、巡回冗長検査等のフレーム品質インジケータ（ＦＱＩ）をデータｄ（ｔ）に付加し得る。ＦＱＩ／エンコーダ２０２はさらに、１つまたは複数の符号化方式を使用してデータおよびＦＱＩを符号化して、符号化シンボル２０２ａを与え得る。各符号化方式は、１つまたは複数のタイプの符号化を含み得、例えば、畳み込み符号化、ターボ符号化、ブロック符号化、反復符号化、または他のタイプの符号化などを含み得る。他の符号化方式は、自動再送要求（ＡＲＱ）、ハイブリッドＡＲＱ（Ｈ−ＡＲＱ）、およびインクリメンタル冗長反復（incremental redundancy repeat）テクニックを含み得る。異なるタイプのデータは、異なる符号化方式で符号化され得る。例では、符号化がまったく使用されない。
【００５７】
インターリーバ２０４は、フェージングをなくすために符号化されたデータシンボル２０２ａを時間的にインターリーブし、シンボル２０４ａを生成する。信号２０４ａのインターリーブされたシンボルは、フレーム２０５ａを生成するために、フレームフォーマットブロック２０５によって、予め定義されたフレームフォーマットにマッピングされ得る。一例では、フレームフォーマットが、フレームを、複数のサブセグメントから構成されるように指定し得る。一例では、複数のサブセグメントが、所与の次元、例えば、時間、周波数、符号、または他の次元に沿ったフレームの任意の連続部分であり得る。１つのフレームは、固定された複数のこうしたサブセグメントから構成され得、各サブセグメントはこのフレームに割り振られた総数のシンボルの一部を含む。一例では、Ｗ−ＣＤＭＡ規格に従って、１つのサブセグメントがスロットとして定義され得る。一例では、ｃｄｍａ２０００規格に従って、１つのサブセグメントが電力制御グループ（ＰＣＧ）として定義され得る。一例では、インターリーブされたシンボル２０４ａが、フレーム２０５ａを構成する複数Ｓ個のサブセグメントにセグメント化される。
【００５８】
いくつかの例では、フレームフォーマットがさらに、例えば、インターリーブされたシンボル２０４ａと共に制御シンボル（図示せず）を含むことを指定し得る。こうした制御シンボルは、例えば、電力制御シンボル、フレームフォーマット情報シンボル、および他のシンボルを含み得る。
【００５９】
変調器２０６は、フレーム２０５ａを変調して被変調データ２０６ａを生成する。変調テクニックの例には、２位相シフトキーイング（ＢＰＳＫ）および４位相シフトキーイング（ＱＰＳＫ）がある。変調器２０６はまた、一連の被変調データ２０７を反復し得る。
【００６０】
ベースバンド無線周波（ＲＦ）変換ブロック２０８は、ワイヤレス通信リンク上でアンテナ２１０を介して信号２１０ａとして１つまたは複数のノードＢ局受信機に送信するために、被変調データ２０６ａをＲＦ信号に変換し得る。
【００６１】
例では、システム１００が、ＬＴＥ規格の下で動作するように構成される。
【００６２】
図６は、ＵＥ１２３〜１２７のうちの１つなど、ＵＥの例示的な受信機の選択されたフロントエンドコンポーネント６００を示す。フロントエンドフロントエンドコンポーネント６００はＡＧＣの動作に関係する。フロントエンドフロントエンドコンポーネント６００は、アンテナ６０５と、状態機械６１５への現在の入力に基づいて（および場合によっては入力の履歴にも基づいて）次のＬＮＡ利得状態を決定論的方式で計算するＬＮＡ状態機械６１５によって利得が制御されるＬＮＡ６１０と、ＡＤＣ６２０と、デジタル領域中の受信マグニチュード信号を可変利得で増幅する（または等価的に、マグニチュード信号を可変除数で除算する）デジタル電圧利得増幅器（ｄｖｇａ：digital voltage gain amplifier）６２５と、電力検出器６３０と、ループ利得ブロック６３５と、アキュムレータ（加算器／積分器）６４０とを含む。これらコンポーネントは、図６に示すように構成され得る。アキュムレータ６４０の出力は２つの部分に分割される。第１の部分は、ＬＮＡ状態機械６１５の入力に供給される。ＬＮＡ状態機械６１５の出力はＬＮＡ６１０の利得を制御する。これは「外部ループ」である。第２の部分は、ｄｖｇａ６２５の利得を制御する。これは「内部ループ」である。
【００６３】
ＬＮＡ６１０は、可変アナログＲＦ増幅モジュールを使用したより一般的な手法の具体的な例として使用されることに留意されたい。
【００６４】
図７は、電力検出器６３０のような、例示的な電力検出器の伝達関数７００の選ばれた線形化特徴を示す。伝達関数７００は、（水平軸ｘ上にプロットされた）電力検出器６３０の入力電力レベル対（垂直軸ｙ上にプロットされた）電力検出器６３０の出力電圧または電流との間の関係である。電力検出器６３０の出力は、（１）ほぼ電力レベルＰ１までは本質的に一定の低レベル（＜Ｌ１）であり、（２）電力検出器がほぼ電力レベルＰ２において飽和した後本質的に一定の高レベル（＞Ｈ１）であり、（３）Ｐ１とＰ２との間において次第に増加する部分である。次第に増加する部分の傾きは（対数目盛上で）実質的に一定であり得るが、これは要件ではない。図７のグラフからわかるように、電力検出器６３０の出力は、あまりにも低い入力電力（ｏｕｔｐｕｔ≒Ｌ１）と、あまりにも高い入力電力（ｏｕｔｐｕｔ≒Ｈ１）と、レンジ内の出力電力（Ｌ１とＨ１との間の出力）とを示しているものとして理解され得る。電力検出器６３０は、サブフレームごとに、すなわち、約１ｍｓまたはそれ以下で反応する（電力検出器６３０の入力電力の変化に応答して電力検出器６３０の出力を変化させる）ことが可能であり得る。一般に、電力検出器は、ＵＥをネットワークに同期させるために、複数のサブフレームにわたってＰＳＳのコヒーレント検出を実行する探索器の一部である。
【００６５】
図６に示すように、ＡＧＣの動作は閉ループである。すなわち、電力検出器は、第１のサブフレーム中で電力を測定し、（必ずしもそうであるとは限らないが、直後のサブフレームであり得る）第２のサブフレーム中で必要とされるＡＧＣ調整のアルゴリズム計算を実行し、（必ずしもそうであるとは限らないが、後続のサブフレームであり得る）第３のサブフレーム中で新しい計算されたＡＧＣを適用する準備ができている。ＦＤＤの場合、第２のサブフレームは第１のサブフレームの直後に続き得、第３のサブフレームは第２のサブフレームの直後に続き得る。（ＦＤＤでは、ＤＬ周波数中のすべてのサブフレームはＤＬに割り当てられる。）しかしながら、ＴＤＤの場合、第２のサブフレームは、第１のサブフレーム（ＤＬサブフレームでもある）の直後に続くＤＬサブフレームであり得、第３のサブフレームは、第２のサブフレーム（ＤＬサブフレームでもある）の直後に続くＤＬサブフレームである。しかし、同じフレームの連続するＤＬサブフレームの間にＵＬサブフレームがあることもあり得る。
【００６６】
電力検出器６３０はサブフレームベースで反応し得るが、ＡＧＣ調整がアキュムレータ６４０のせいでかなり長びくことがある。例えば、アキュムレータ６４０は継続的または連続的に積分し得る。これは、急激なレイリーフェージングによる過大な調整なく、比較的遅いシャドーイングによる電力の変化をトラッキングする平均化をすることを可能にする。
【００６７】
上記したように、（時間における）サブフレーム境界および構成（フレーム内のＵＬ／ＤＬサブフレーム）が知られる前に、パワーアップまたは同様のイベント時の適切なＡＧＣ状態を取得することに問題が存在する。任意の順序で（例えば、順次）様々なＡＧＣ状態を通過することによって取得することを試みるブルートフォース手法を改善するために、ＵＥは電力検出器６３０の典型的動作との組み合わせでＵＬ／ＤＬサブフレームの全構成の既知の特徴を活用するように構成され得る。必ずしも限定的であるとは限らない例示的な例としてＬＴＥシステムを使用すると、既知の特徴のうちの１つは、各フレームの０番目のサブフレームおよび５番目のサブフレームがＤＬサブフレームであることである。これは、ＵＬサブフレーム、ＤＬサブフレーム、特殊サブフレーム（ＳＳ：Special Subframe）のための７つの可能なＴＤＤ構成を一覧する以下の表１に示される。
【表１】
0005583839.tif 000002
【００６８】
例では、同期信号を含むサブフレームの周期性は５以外であってよい。
【００６９】
この必ずしも限定されない例における他の既知の特徴は、１次同期信号またはＰＳＳが各フレームのサブフレーム１および６中で（第３のＯＦＤＭシンボルとして）早期に送信されることである。ＰＳＳの持続時間は少数の連続するサンプルであり得る。図８は、ＳＳサブフレームの詳細をそのＰＳＳと共に含む例示的なサブフレーム０〜３を示す。
【００７０】
ＡＧＣ取得について、電力検出器６３０は、各サブフレームを３つのタスクに分割することによって動作するように構成され得る。より一般的には、各サブフレームはＭ個のタスクに分割されることができ、ここでＭは２以上の整数である。各タスク中で、電力検出器は、可能なＰＳＳ期間の各々について最高電力を計算する。従って、電力検出器は、１サンプルのオフセットを用いてサンプル０〜６１、１〜６２、２〜６３、などの中の電力を決定するように構成され得る。タスクごとに、電力検出器は、そのタスク中のすべてのＰＳＳ期間の最高エネルギーを出力する。図９は、タスク９０２と、連続するＰＳＳ期間を示すブラケット９０５とを示す。直前のＰＳＳ期間からの各ＰＳＳ期間のオフセットは、１つのサンプリング期間であり得る。電力検出器６３０は、タスクの複数のＰＳＳ期間のうちの各々の信号を既知のＰＳＳ信号とコヒーレントに相関させ、ノードＢによって送信された実際のＰＳＳ信号を検出することを試みる。ＰＳＳは、予め定義された限界を超えるエネルギー結果を生じさせる相関に応答して、または、予め定義された限界を超えるピークに達したエネルギー結果によって検出され得る。ＰＳＳの検出の成功には、一般的にＡＧＣの取得、すなわち、少なくとも適切な設定に近いＬＮＡ利得の設定が必要である。
【００７１】
サブフレーム１および６の最初の１／３におけるＰＳＳの存在は、ＰＳＳを含むタスクの直前にくるタスクがサブフレーム０またはサブフレーム５上に、すなわち、ＤＬサブフレーム上にくることを保証する。（これは図８および上の表１から明らかなはずである。）ＡＧＣ取得中に、ＵＥは、複数のＮ×Ｍ ＡＧＣループを維持するように構成される。これらループの各々は、図６に示す例示的なループと同様であり得るが、ｋタスクの遅延を与える遅延要素が追加されている。整数ｋは、例えば、１または２に等しくてよい。
【００７２】
本明細書に従う構成１０００が図１０に示される。構成１０００におけるループはほとんどのコンポーネントを共有するが、アキュムレータはループごとに異なる。従って、構成１０００におけるループの各々は図６に示すループと同様であるが、ここでは、一対のスイッチＳＷ１およびＳＷ２が異なるループに対する異なるアキュムレータ６４０iの選択を可能にするために構成に追加される。これらスイッチＳＷ１およびＳＷ２は、スイッチＳＷ１がアキュムレータ６４０iの出力に接続すると同時にＳＷ１が同じアキュムレータ６４０iの入力に接続するようにして順番に動作する。各タスクごとに、スイッチＳＷ１／ＳＷ２は別のアキュムレータを一緒に選択する。この選択は、例えばラウンドロビン式に進むことができ、スイッチＳＷ１／ＳＷ２はＮ×Ｍタスクのサイクルの完了後にアキュムレータ６４０の各々に戻る。これにより、事実上、Ｎ×Ｍループについて、Ｎ×Ｍ個の連続するタスクの所与のサイクルにおいてタスクごとに異なるループが作られる。それは、持続時間のタスク単位で表現された保証ＤＬサブフレーム（例えば、ＤＬサブフレームであることが保証されたサブフレーム０および５）の周期性であるので、Ｎ×Ｍループが存在する。各サブフレームは、複数のタスク、例えば３つのタスクを含んでおり、各タスクの持続時間はサブフレームの固定分数(fixed fraction)である。ループの各々において、ＬＮＡ利得は、ＬＮＡ状態機械６１５の出力によって決定され、ＬＮＡ状態機械の出力は、状態機械への入力に基づき、状態機械の入力は、所与のループに対応するアキュムレータ６４０iの出力に基づく。各アキュムレータ６４０iは、Ｎ×Ｍタスクの各サイクル内の１タスクについて動作することに留意されたい。多重ループはほとんどのコンポーネントを共有するが、変形態で、異なるループは異なるアキュムレータ６４０iの状態を記憶するための異なるテーブルを使用する。
【００７３】
ＡＧＣ取得が必要とされるパワーアップまたは別のイベント時に、ＵＥは、実際の（未知の）システムタイミングに対する任意の時間において、分数（例えば、１／３）サブフレーム持続時間のタスクを実行することを開始するように構成され得る。しかし、タスクの任意の開始がサブフレーム境界に関係する場合はいつでも、ＤＬ送信のみを含む（サイクルのＮ×Ｍタスク内の）各タスク位置タスクのＡＧＣ利得は正しい利得に収束し得る。これがそうである理由は、ＤＬ送信がループ内で矛盾なく循環する、すなわち、ループのアキュムレータ６４０iが、サブフレーム番号０および５に対応するループの（ＵＬ電力ではなく）ＤＬ電力のみに基づいて状態情報を蓄積するからである。（Ｍ×Ｎ）タスクのサイクル内の特定のタスク位置についての実際のＬＮＡ状態は、ｋタスクだけ遅延された前の位置から導出された状態であることに留意されたい。ｋ＝１である場合、特定のタスク位置についてのＬＮＡ状態は、直前のタスク位置に対応する電力測定値から導出される。一般性の損失なしに、ｋ＝１の場合について説明することにする。
【００７４】
ＡＧＣが収束する（すなわち、ＡＧＣがＤＬタスクについて取得される）と、ＵＥは、その取得されたＡＧＣを使用して、ＡＧＣが取得されたタスク位置の直後の位置にあるタスクを復号する。上の表１および図８から、ＰＳＳがＤＬタスクの後にくることは明らかである。従って、ｋ＝１の場合、ＡＧＣ状態が、ＰＳＳをもつタスクの直前にくるＤＬタスクについて正しく設定されるので、ＰＳＳは正常に復号され得る。ＲＦ信号電力は、一般的にタスク持続時間と比較すると遅いレートで変動し、従って、ＤＬタスクに対する正しいＡＧＣ設定は、ＰＳＳを含む直後のタスクに対しても一般的に正しくなることに留意されたい。ＰＳＳが正常に復号されると、ＵＥは、ネットワークのタイミングについての知識を獲得し得る。この時点で、すべての多重ループを維持する必要も、遅延要素６５０を保持する必要もない。従って、ＵＥは、サブフレーム０および５に基づいてトラッキングモードに切り替わって、多重ループのために前に使用されたリソースを割振り解除し、遅延要素６５０を除去できる。ある時間の後に、ＵＥは、可能性があるＴＤＤ構成の中から現在のＴＤＤ構成を識別する構成メッセージを受信する。次いで、ＵＥは、通常に動作すること、例えば、情報を送信および受信することを開始できる。情報は、オーディオ、ビデオ、および他のトラフィックデータを含み得る。受信データは、必要に応じて復調され、復号され、およびレンダリングされ得る（例えば、表示され、サウンドに変換され得る）。
【００７５】
初期の任意のタイミングは、ＰＳＳが２つの隣接するタスク間で分割されるようなものとすることが可能であり、これはＰＳＳの検出を防ぎ得る。そうである場合、すなわち、ＵＥが、正しいＡＧＣに収束するがＰＳＳを検出することができない場合、上記のプロセスは、タスクの分数だけ、例えば、タスクの１／２だけタイミングをシフトした後に繰り返され得る。
【００７６】
上記の例の数字表記は説明のために使用されている。一般的に、同期信号を搬送するサブフレームの周期性は必ずしも５であるとは限らず、各サブフレームは、３よりも多いまたは３よりも少ないタスクに分割され得る。また、要素６５０は削除され得（ｋ＝０）、その場合、ＵＥは、ＡＧＣがループのうちの１つについて収束したときを決定し、そのループの利得をＭ×Ｎタスクのサイクル内の他のタスク位置に使用する。この例では、これが意図通りに動作するために、すべてのタスクが同じループを使用するようにスイッチＳＷ１およびＳＷ２は使用不能にされ得る。
【００７７】
図１１は、ＴＤＤを使用してネットワークを取得する際にＵＥによって行われる例示的なプロセス１１００の複数の選ばれたステップを示す。
【００７８】
フローポイント１１０１において、ＵＥは、電源投入され、ノードＢのサービスエリアを入力されており、ネットワークを取得する準備ができている。
【００７９】
ステップ１１０５において、ＵＥは（Ｎ×Ｍ）ＡＧＣループを構成し、各ループはタスクモジュロ（Ｎ×Ｍ）のみを考察し、Ｍはサブフレーム当たりのタスクの数であり、Ｎはフレーム内の保証ＤＬサブフレーム周期性である。これは、各ループが、Ｐ個おきのタスク（Ｐ＝Ｎ×Ｍ）を考察するかまたはそれに作用して、他のタスクを無視することと、あらゆるタスクがＡＧＣループのうちの１つによって考察されるように、各ＡＧＣループがタスクの異なるセット（すなわち、Ｎ×Ｍタスク内の異なるタスク位置）に作用することとを意味する。上記で説明したＬＴＥ実施形態では、異なるＡＧＣループは１５個おきのタスクに作用し、サブフレーム当たり３つのタスクがあり、フレーム内のあらゆるサブフレーム０およびサブフレーム５がＤＬサブフレームであることが保証される。従って、あるＡＧＣループはタスク０、１５、３０、４５、．．．を考察し、別のＡＧＣループはタスク１、１６、３１、４６、．．．を考察し、以下同様であり、最後に第１５のＡＧＣループはタスク１４、２９、４４、．．．を考察する。
【００８０】
ＡＧＣループは、図１０のループと同じであるか、類似であるか、または同様であり得る。
【００８１】
ステップ１１１０において、ループを動作させる。あらゆるループは、タスクの異なるセットを考察する。現在のＬＮＡ利得を調整する際に、各ループは、ｋタスクだけ早期の電力検出器の指示に従ってループのＬＮＡ状態機械出力を設定する（ｋは０または正の整数である）。言い換えれば、タスクＫ中のＬＮＡ状態は、タスク（Ｋ−ｋ）の結果として生成された電力検出器の出力によって決定される。
【００８２】
ステップ１１１５において、ＵＥは、タスク位置の各々中の受信信号を既知の同期信号シーケンスとコヒーレントに相関させ、受信信号中で同期信号を識別することを試みている。ＬＴＥ実施形態では、同期信号はＰＳＳであり得る。
【００８３】
決定ブロック１１２０において、ＵＥは、受信信号中で同期信号が検出されたかどうかを判定する。検出されなかった場合、プロセスフローはステップ１１１０に戻る。同期信号が検出された場合、プロセスフローはステップ１１２５に進み、ＵＥは、検出された同期信号に基づいてサブフレームのタイミングを決定する。
【００８４】
ステップ１１３０において、ＵＥは、ステップ１１０５において構成された（Ｎ×Ｍ）ループからのリソースを割振り解除し、同時に、ＤＬサブフレームに基づいてＡＧＣをトラッキングモードに切り替え、そのＤＬサブフレームは、ＬＴＥ実施形態ではサブフレーム０および５であり得る。
【００８５】
次いで、プロセスフローはフローポイント１１９９において終了する。ＡＧＣが再取得される必要があるとき、プロセス１１００は一般に繰り返され得ることに留意されたい。
【００８６】
本開示では、様々な方法のステップおよび決定ブロックについて連続的に説明され得たが、これらのステップおよび決定のいくつかは、別々の要素によって、連携してまたは並列に、非同期にまたは同期に、パイプライン方式で、あるいは他の方法で実行され得る。明示的にそのように示されているか、さもなければ文脈から明らかであるか、または本質的に必要とされる場合を除き、ステップおよび決定は、本明細書に記載し添付の図に示した順序と同じ順序で実行される必要は特にない。ただし、選択された例では、ステップおよび決定は、上述のおよび／または添付の図に示した特定の進行で実行されることに留意されたい。さらに、あらゆる図示のステップおよび決定があらゆるシステムで必要とされ得るとは限らず、いくつかの実施形態では、具体的に示されていないいくつかのステップおよび決定が、望ましいまたは必要な場合がある。
【００８７】
また、情報および信号は、様々な技術およびテクニックのいずれかを使用して表現され得ることを、当業者なら理解されよう。例えば、上記の記述全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８８】
さらに、本明細書で開示する実施形態および変形態に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアとのこの互換性を明瞭に説明するために、様々な例示的なコンポーネント、ブロック、モジュール、回路、およびステップが全体としてそれらの機能の観点から上述され得た。そのような機能をハードウェアとして実現するか、ソフトウェアとして実現するか、またはハードウェアとソフトウェアの組合せとして実現するかは、特定の適用例および全体的なシステムに課される設計上の制約に依存する。当業者は、説明した機能を特定の適用例ごとに様々な方法で実装し得るが、そのような実装の決定は、本発明の範囲からの逸脱を生じるものと解釈すべきではない。
【００８９】
本明細書で開示する実施形態および変形態に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明する機能を実行するように設計されたそれらの任意の組合せを用いて実装または実行され得る。汎用プロセッサはマイクロプロセッサであり得るが、代わりに、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９０】
本明細書で開示された実施形態に関連して記述された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込めるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別コンポーネントとして常駐し得る。
【００９１】
１つまたは複数の例示的な実施形態では、記述された機能がハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、フラッシュメモリ、あるいは命令またはデータ構造の形態の所望のプログラムコードを担持または記憶するために使用でき、コンピュータによってアクセスできる任意の他の非一時的媒体を含み得る。さらに、いかなる接続もコンピュータ可読媒体と適切に呼ばれる（しかし記憶媒体とは呼ばれない）。例えば、ソフトウェアが、同軸ケーブル、光ファイバーケーブル、ツイストペア、デジタル加入者回線（ＤＳＬ）、または赤外線、無線、およびマイクロ波等のワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）という用語は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データを光学的に、例えば、レーザおよびＬＥＤで再生する。上記の組合せもコンピュータ可読媒体の範囲内に含まれ得る。
【００９２】
開示する実施形態、例、および変形態の前述の説明は、当業者が本発明を実施または使用できるようにするために提供したものである。これらの実施形態、例、および変形態への様々な修正は当業者には容易に明らかであり、本明細書で定義した一般原理は、本発明の趣旨または範囲から逸脱することなく他の実施形態、例、および変形態に適用され得る。従って、本発明は、本明細書に示す実施形態および変形態に限定されるものではなく、本明細書で開示する原理および新規の特徴と一致する最も広い範囲を与えられるべきある。
【００９３】
従って、本発明は、特許請求の範囲による場合を除いて、限定されるものではない。以下に本件出願当初の特許請求の範囲に記載された発明を付記する。
[Ｃ１]
複数のフレームを備える信号を受信するステップであって、前記複数のフレームの各々が複数のサブフレームを含む、ステップと、
複数のＭ×Ｎ自動利得制御（ＡＧＣ）ループを構成するステップであって、前記複数のＡＧＣループのうちの各ＡＧＣループが複数のモジュロＭ×Ｎタスク演算のために構成され、各タスクがサブフレームごとに前記複数のタスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、ステップと、
前記各ＡＧＣループを動作させるステップと、
前記受信された信号内で既知の同期信号のパターンを検出するために前記受信された信号を前記既知の同期信号と相関させるステップと、
前記受信された信号内の前記既知の同期信号の前記パターンの検出に応答して、前記受信された信号のサブフレームタイミングを決定するステップと
を備えるワイヤレス通信方法。
[Ｃ２]
前記サブフレームタイミングの決定に応答してトラッキングモードＡＧＣ動作に切り替えること
をさらに備える、Ｃ１に記載のワイヤレス通信方法。
[Ｃ３]
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンはダウンリンク（ＤＬ）サブフレームであることが保証された前記サブフレームの直後の前記サブフレームの開始の前記所定のタスク持続時間内で発生する、Ｃ１に記載のワイヤレス通信方法。
[Ｃ４]
前記構成するステップは、前記複数のＡＧＣループのうちの少なくとも２つのＡＧＣループがアキュムレータを除くすべてのコンポーネントを共有するように行われる、Ｃ１に記載のワイヤレス通信方法。
[Ｃ５]
前記既知の同期信号の前記パターンが１次同期信号（ＰＳＳ）パターンであり、Ｎが５に等しい、Ｃ３に記載のワイヤレス通信方法。
[Ｃ６]
前記既知の同期信号の前記パターンが１次同期信号（ＰＳＳ）パターンであり、Ｎが５に等しく、Ｍが３に等しい、Ｃ３に記載のワイヤレス通信方法。
[Ｃ７]
前記既知の同期信号の前記パターンが１次同期信号（ＰＳＳ）パターンであり、Ｎが５に等しく、Ｍが３に等しく、前記タスク遅延が１タスクの持続時間に等しい、Ｃ３に記載のワイヤレス通信方法。
[Ｃ８]
前記受信された信号内の前記既知の同期信号の前記パターンの前記検出に応答して前記複数のＡＧＣループのリソースを割振り解除することをさらに備える、Ｃ３に記載のワイヤレス通信方法。
[Ｃ９]
前記受信された信号内の前記既知の同期信号の前記パターンの前記検出に応答してＡＧＣトラッキングモードに切り替えることをさらに備える、Ｃ３に記載のワイヤレス通信方法。
[Ｃ１０]
前記既知の同期信号の前記パターンが１次同期信号（ＰＳＳ）パターンであり、Ｎが５に等しく、Ｍが３に等しく、前記タスク遅延が２タスクの持続時間に等しい、Ｃ３に記載のワイヤレス通信方法。
[Ｃ１１]
前記相関させるステップが、各ＰＳＳ期間を既知のＰＳＳ信号パターンとコヒーレントに相関させることを備える、Ｃ１０に記載のワイヤレス通信方法。
[Ｃ１２]
連続するＰＳＳ期間が１チップだけオフセットされる、Ｃ１１に記載のワイヤレス通信方法。
[Ｃ１３]
前記受信された信号内の前記同期信号は、第１の予め定義された限界を超えるエネルギー結果を生じさせる前記相関させるステップに応答して、または第２の予め定義された限界を超えてピークに達した前記エネルギー結果によって検出される、Ｃ１１に記載のワイヤレス通信方法。
[Ｃ１４]
ユーザ機器（ＵＥ）で複数のフレームを備える受信信号を受信するためのコードであって、前記フレームの各々がサブフレームを含む、コードと、
複数のＭ×Ｎ自動利得制御（ＡＧＣ）ループを前記ＵＥで構成するためのコードであって、前記複数のＡＧＣループのうちの各ＡＧＣループが複数のモジュロＭ×Ｎタスク演算のために構成され、各タスクがサブフレームごとに前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、コードと、
前記各ＡＧＣループを動作させるためのコードと、
前記受信された信号内で既知の同期信号のパターンを検出するために、前記受信された信号を前記既知の同期信号と相関させるためのコードと、
前記受信された信号内の前記既知の同期信号の前記パターンの検出に応答して、前記受信された信号のサブフレームタイミングを決定するためのコードと、
前記サブフレームタイミングの決定に応答して前記ＵＥをトラッキングモードＡＧＣ動作に切り替えるためのコードと
を備える非一時的コンピュータ可読ストレージを備える、コンピュータプログラム製品。
[Ｃ１５]
前記複数のフレームの各々において、前記既知の同期信号の前記パターンはダウンリンク（ＤＬ）サブフレームであることが保証されたサブフレームの直後のサブフレーム内で発生する、Ｃ１４に記載のコンピュータプログラム製品。
[Ｃ１６]
前記既知の同期信号の前記パターンはダウンリンク（ＤＬ）サブフレームであることが保証された前記サブフレームの直後の前記サブフレームの開始の前記所定のタスク持続時間内で発生する、Ｃ１５に記載のコンピュータプログラム製品。
[Ｃ１７]
前記既知の同期信号の前記パターンが１次同期信号（ＰＳＳ）パターンであり、Ｎが５に等しく、Ｍが３に等しい、Ｃ１６に記載のコンピュータプログラム製品。
[Ｃ１８]
前記非一時的コンピュータ可読ストレージが、前記受信された信号内の前記既知の同期信号の前記パターンの前記検出に応答して前記ＡＧＣループのリソースを割振り解除するためのコードをさらに備える、Ｃ１６に記載のコンピュータプログラム製品。
[Ｃ１９]
少なくとも１つのプロセッサを備え、ここにおいて前記少なくとも１つのプロセッサは、
前記ユーザ機器で複数のフレームを備える受信信号を受信することと、前記フレームの各々がサブフレームを含む、
複数のＭ×Ｎ自動利得制御（ＡＧＣ）ループを構成することと、前記複数のＡＧＣループのうちの各ＡＧＣループが複数のモジュロＭ×Ｎタスク演算のために構成され、各タスクが、サブフレーム当たりの前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが、前記各ＡＧＣループのアキュムレータの入力の前に所定のタスク遅延を含み、前記所定のタスク遅延が整数個のタスクに等しい、
前記各ＡＧＣループを動作させることと、
前記受信された信号内で既知の同期信号のパターンを検出するために、前記受信された信号を前記既知の同期信号と相関させることと、
前記受信された信号内の前記既知の同期信号の前記パターンの検出に応答して、前記受信された信号のサブフレームタイミングを決定することと
を行うように構成され、
かつ前記少なくとも１つのプロセッサに動作可能に接続されたメモリを備えるワイヤレスユーザ機器（ＵＥ）。
[Ｃ２０]
前記プロセッサが、前記サブフレームタイミングの決定に応答してトラッキングモードＡＧＣ動作に切り替えるようにさらに構成される、Ｃ１９に記載のワイヤレスユーザ機器。
[Ｃ２１]
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンは、ダウンリンク（ＤＬ）サブフレームであることが保証された前記サブフレームの直後の前記サブフレームの開始の前記所定のタスク持続時間内で発生する、Ｃ１９に記載のワイヤレスユーザ機器。
[Ｃ２２]
前記複数のＡＧＣループのうちの少なくとも２つのＡＧＣループがアキュムレータを除くすべてのコンポーネントを共有するように構成される、Ｃ１９に記載のワイヤレスユーザ機器。
[Ｃ２３]
前記既知の同期信号の前記パターンが１次同期信号（ＰＳＳ）パターンであり、Ｎが５に等しい、Ｃ２１に記載のワイヤレスユーザ機器。
[Ｃ２４]
前記既知の同期信号の前記パターンが１次同期信号（ＰＳＳ）パターンであり、Ｎが５に等しく、Ｍが３に等しい、Ｃ２１に記載のワイヤレスユーザ機器。
[Ｃ２５]
前記既知の同期信号の前記パターンが１次同期信号（ＰＳＳ）パターンであり、Ｎが５に等しく、Ｍが３に等しく、前記所定のタスク遅延が１タスクの持続時間に等しい、Ｃ２１に記載のワイヤレスユーザ機器。
[Ｃ２６]
前記少なくとも１つのプロセッサが、前記受信された信号内の前記既知の同期信号の前記パターンの前記検出に応答して前記複数のＡＧＣループのリソースを割振り解除するようにさらに構成される、Ｃ２１に記載のワイヤレスユーザ機器。
[Ｃ２７]
前記少なくとも１つのプロセッサが、
前記受信された信号内の前記既知の同期信号の前記パターンの前記検出に応答してＡＧＣトラッキングモードに切り替えるようにさらに構成される、Ｃ２１に記載のワイヤレスユーザ機器。
[Ｃ２８]
前記既知の同期信号の前記パターンが１次同期信号（ＰＳＳ）パターンであり、Ｎが５に等しく、Ｍが３に等しく、前記タスク遅延が１タスクの持続時間に等しい、Ｃ２１に記載のワイヤレスユーザ機器。
[Ｃ２９]
前記少なくとも１つのプロセッサが、各ＰＳＳ期間を既知のＰＳＳ信号パターンとコヒーレントに相関させるようにさらに構成される、Ｃ２８に記載のワイヤレスユーザ機器。
[Ｃ３０]
連続するＰＳＳ期間が１チップだけオフセットされる、Ｃ２９に記載のワイヤレスユーザ機器。
[Ｃ３１]
前記受信された信号内の前記同期信号は、予め定義された限界を超えるエネルギー結果を生させる前記相関させるステップに応答して、または前記予め定義された限界を超えてピークに達した前記エネルギー結果によって検出される、Ｃ２９に記載のワイヤレスユーザ機器。
[Ｃ３２]
複数のフレームを備える信号を受信するための手段であって、前記複数のフレームの各々がサブフレームを含む、手段と、
複数のＭ×Ｎ自動利得制御（ＡＧＣ）ループを構成するための手段であって、前記複数のＡＧＣループのうちの各ＡＧＣループが複数のモジュロＭ×Ｎタスク演算のために構成され、各タスクがサブフレームごとに前記タスクの所定のタスク持続時間Ｍを有し、Ｍが１よりも大きい整数であり、Ｎが前記フレーム内の保証ダウンリンク（ＤＬ）サブフレームの周期性であり、前記各ＡＧＣループが前記各ＡＧＣループのアキュムレータの入力の前に所定のタスク遅延を含み、前記所定のタスク遅延が整数個のタスクに等しい、手段と、
前記各ＡＧＣループを動作させるための手段と、
前記受信された信号内で既知の同期信号のパターンを検出するために、前記受信された信号を前記既知の同期信号と相関させるための手段と、
前記受信された信号内の前記既知の同期信号の前記パターンの検出に応答して、前記受信された信号のサブフレームタイミングを決定するための手段と
を備える、ワイヤレス通信するための装置。
[Ｃ３３]
前記サブフレームタイミングの決定に応答してトラッキングモードＡＧＣ動作に切り替えるための手段
をさらに備える、Ｃ３２に記載の装置。
[Ｃ３４]
前記複数のフレームの各々において、前記既知の同期信号の前記パターンはダウンリンク（ＤＬ）サブフレームであることが保証されたサブフレームの直後のサブフレーム内で発生し、かつ前記既知の同期信号の前記パターンはダウンリンク（ＤＬ）サブフレームであることが保証された前記サブフレームの直後の前記サブフレームの開始の前記所定のタスク持続時間内で発生する、Ｃ３２に記載の装置。
[Ｃ３５]
前記構成するための手段は、前記複数のＡＧＣループのうちの少なくとも２つのＡＧＣループがアキュムレータを除くすべてのコンポーネントを共有するように実行される、Ｃ３２に記載の装置。
[Ｃ３６]
前記既知の同期信号の前記パターンが１次同期信号（ＰＳＳ）パターンであり、Ｎが５に等しい、Ｃ３４に記載の装置。
[Ｃ３７]
前記既知の同期信号の前記パターンが１次同期信号（ＰＳＳ）パターンであり、Ｎが５に等しく、Ｍが３に等しい、Ｃ３４に記載の装置。
[Ｃ３８]
前記既知の同期信号の前記パターンが１次同期信号（ＰＳＳ）パターンであり、Ｎが５に等しく、Ｍが３に等しく、前記タスク遅延が１タスクの持続時間に等しい、Ｃ３４に記載の装置。
[Ｃ３９]
前記受信された信号内の前記既知の同期信号の前記パターンの前記検出に応答して前記複数のＡＧＣループのリソースを割振り解除するための手段をさらに備える、Ｃ３４に記載の装置。
[Ｃ４０]
前記受信された信号内の前記既知の同期信号の前記パターンの前記検出に応答してＡＧＣトラッキングモードに切り替えるための手段をさらに備える、Ｃ３４に記載の装置。
[Ｃ４１]
前記既知の同期信号の前記パターンが１次同期信号（ＰＳＳ）パターンであり、Ｎが５に等しく、Ｍが３に等しく、前記タスク遅延が２タスクの持続時間に等しい、Ｃ３４に記載の装置。
[Ｃ４２]
前記相関させるための手段が、各ＰＳＳ期間を既知のＰＳＳ信号パターンとコヒーレントに相関させることを備える、Ｃ４１に記載の装置。
[Ｃ４３]
連続するＰＳＳ期間が１チップだけオフセットされる、Ｃ４２に記載の装置。
[Ｃ４４]
前記受信された信号内の前記同期信号は、第１の予め定義された限界を超えるエネルギー結果を生じさせる前記相関させるための手段に応答して、または第２の予め定義された限界を超えてピークに達した前記エネルギー結果によって検出される、Ｃ４２に記載の装置。
【図１】
0005583839.tif 000003
【図２】
0005583839.tif 000004
【図３】
0005583839.tif 000005
【図４】
0005583839.tif 000006
【図５】
0005583839.tif 000007
【図６】
0005583839.tif 000008
【図７】
0005583839.tif 000009
【図８】
0005583839.tif 000010
【図９】
0005583839.tif 000011
【図１０】
0005583839.tif 000012
【図１１】
0005583839.tif 000013